(57)【要約】【課題】  皮膚の多毛部分を間引きするように脱毛して少毛部分ができるようにすると共に、皮膚の多毛部分に対し患者の要望に応じ少毛部分の割合を調節できるようにした脱毛装置を提供する。また、皮膚の多毛部分から少毛部分に変更するのに使用される白紙又は白シートを安価に提供できる脱毛装置を提供する。【解決手段】  ホワイトライトの光ガイド２３の照射面から照射して脱毛する脱毛装置２０において、前記光ガイド２３の照射面に着脱可能に取りつけられる白紙又は白紙相当の白シート３０であって、多数の穴を穿設したものを備えているもの。【選択図】        図５
2005319209.tif 000002
【特許請求の範囲】
【請求項１】
ホワイトライトの光ガイド照射面から照射して脱毛する脱毛装置において、前記光ガイド照射面に着脱可能に取りつけられる白紙又は白紙相当の白シートであって、多数の穴を穿設したものを備えている脱毛装置。
【請求項２】
前記白紙又は白シートが、長方形状の表面に多数の小孔又は長孔を穿設し、裏面に粘着面を形成したものからなる請求項１記載の脱毛装置。
【発明の詳細な説明】
【技術分野】
【０００１】
本発明は、ホワイトライトの光照射により皮膚の毛髪を脱毛する脱毛装置に関する。
【背景技術】
【０００２】
従来、上記ホワイトライトによる脱毛装置は、原理的にはアーク放電を利用した電球に、光を導くための光ガイドを取りつけたもので、アークランプと光ガイドとの間には、特定の波長域の光だけを通過させるフィルターが取りつけられ、用途に合わせたスペクトルの光を脱毛に利用することができるようにしている。しかしながら、ホワイトライトの光は光ガイドから出たあと大きく拡がる点が、ほぼ小点に集光されるレーザー光と異なる。このホワイトライト光を皮膚の脱毛に利用すると、脱毛の範囲が少なくとも光ガイドの照射面範囲となり、その範囲内は脱毛されることになる。美容脱毛の見地からみると、皮膚の多毛領域において、照射される境界から全く無毛領域になるように脱毛する場合もあるが、多毛領域からいきなり無毛領域に入ることなく、多毛領域から少毛領域になるよう脱毛したい場合は、多毛領域を間引くように脱毛して少毛領域に移ることが必要で、レーザー光によって多毛領域から少毛領域になるように脱毛することは、理論上は可能と考えられるが、実用上は煩瑣で経済的でない欠点があった。
そこで、本発明者は、光ガイド照射面に多数の小孔又は長孔などを穿設した白紙か白紙相当の白シートを取り外し可能に当接させて照射すれば、多毛領域から間引きされる毛髪だけが脱毛され、白紙又は白シートの穴以外の遮蔽部分にある毛髪は脱毛されずに済み、多毛領域から少毛領域になることを見出し本発明を完成した。
【特許文献１】特表２００２−５０００８０号公報
【発明の開示】
【発明が解決しようとする課題】
【０００３】
本発明は、皮膚の多毛部分を間引きするように脱毛して少毛部分ができるようにした脱毛装置を提供することにある。
また、本発明は、皮膚の多毛部分に対し患者の要望に応じ少毛部分の割合を調節できるようにした脱毛装置を提供することにある。
さらに、本発明は、皮膚の多毛部分から少毛部分に変更するのに使用される白紙又は白シートを安価に提供できる脱毛装置を提供することにある。
【課題を解決するための手段】
【０００４】
本発明脱毛装置は、上記課題を達成するため、図示するように、ホワイトライトの光ガイド照射面から照射して脱毛する脱毛装置において、前記光ガイド照射面に着脱可能に取りつけられる白紙又は白紙相当の白シートであって、多数の穴を穿設したものを備えているものである。
また、本発明脱毛装置は、上記課題を達成するため、図示するように、前記白紙又は白シートが、長方形状の表面に多数の小孔又は長孔を穿設し、裏面に粘着面を形成したものからなるものである。
本発明において、光ガイドは、通常直方体状の水晶体で形成されるもので、アークライトの光を効果的に治療部位に導くもので、導光路の１種であると同時にアプリケータとして利用される。
また、フィルターは、特定の波長の光をカットし、その他の光を透過させるもので、通常は、皮膚に有害な紫外線領域の光をカットした５１５ｎｍ〜１２００ｎｍまでの光を出し、フィルターの選択により、その範囲内の特定波長の光を出すことができる。
白紙は、通常、厚み０．５〜２．０ミリメートルのケント紙などで形成される。
白シートは、通常、厚み０．２〜１．０ミリメートル程度のホワイトライトの光を反射する耐熱合成樹脂フィルムその他の材料からなる。
白紙又は白紙に相当する白シートの裏面は透明の弱粘着面を形成する。
【発明の効果】
【０００５】
本発明によれば、脱毛を無毛領域、少毛領域に区別して美容効果を短時間で挙げることができ、脱毛量を調節するための白紙又は白シートは、穴径、形状、穴数が容易に製作でき、脱毛希望者に応ずることができる。
【発明を実施するための最良の形態】
【０００６】
本発明は、長方形の白紙又は白シートに多数の丸穴又は長孔などを穿設したものを着脱可能に取り付けたことを最も特徴としている。
【実施例】
【０００７】
本発明の実施例が図１乃至図４に示されている。
本発明装置は、本体１０と本体に連結されるハンドピース２０及び穴あき白紙又は白シート３０又は３０Ｂを備えている。
本体１０は、図１に示すように、電源プラグ差込口（図示しない）、安全スイッチ１１、スタートキー１２、タッチスクリーン１３、プリンター１４、インターロック（図示しない）を備え、図２に示すハンドピース２０に給電すると共に、冷却水が循環できるように連結している。
ハンドピース２０は、図２に示すように、フラッシュランプ２１、波長遮断フィルター２２、ライトガイド２３を内蔵すると共に、内部に冷却水が循環できるように冷却水循環回路２４を備え、フラッシュランプ２１はフィルター２２及びライトガイド２３を通してフラッシュプラズマ光線を毛根に照射し、ダメージを与えて発毛サイクルを遅らせる脱毛作用を行う。
波長遮断フィルター２２は、皮膚の光治療や、脱毛に適する波長帯を選択的に取り出せるように複数個が用意され、皮膚に有害な５１５ｎｍ以下の短波長光や熱作用の強い２００ｎｍ以上の赤外光を遮断できるようになっている。
穴あき白紙又は白シート３０又は３０Ｂは、図３又は図４に示すように、ライトガイド２３の照射面２３１に剥離可能に貼着される粘着面（図示しない）を裏面を設けた白色紙又は白シートであって、被施術者の希望、皮膚の状態、回数等に応じ、種々の穴形状と穴数が穿設される。
今、図５に示すように、施術しようとする皮膚の施術部分５０をアイスパック（図示しない）で冷やし、また、冷却したジエル又はゲル組織物４０を２〜３ミリ厚に塗って、穴あき白紙又は白シート３０又は３０Ｂを照射面２３１に貼着してフラッシュライトを数秒間照射すると、施術部分５０は、発毛部分が全部脱毛されることなく、穴３１又は３１Ｂを通して間引きしたように脱毛されるので、外見上、多毛部分は、少毛部分に変化する。
【産業上の利用可能性】
【０００８】
本発明の脱毛装置の穴あき白紙又は白シートは、安価に量産できる。
【図面の簡単な説明】
【０００９】
【図１】本発明実施例の本体の略図である。
【図２】本発明実施例のハンドピースの説明図である。
【図３】本発明実施例の穴あき白紙又は白シートの平面図である。
【図４】本発明実施例の別の穴あき白紙又は白シートの平面図である。
【図５】本発明装置例の使用状態説明図である。
【符号の説明】
【００１０】
１０    本体
２０    ハンドピース
３０、３０Ｂ    穴あき白紙又は白シート
３１、３１Ｂ    白紙又は白シートの穴
【図１】
2005319209.tif 000003
【図２】
2005319209.tif 000004
【図３】
2005319209.tif 000005
【図４】
2005319209.tif 000006
【図５】
2005319209.tif 000007